(57)【要約】【課題】  室内に入ったユーザの不快感を抑制し、且つ室内の熱こもりを解消する換気に要するエネルギー消費量を抑えることができる通風制御装置、通風制御システム、プログラムを提供する。【解決手段】  制御部１１は、強制換気装置２１による強制換気の終了時刻を第１時刻に設定する。さらに、制御部１１は、第１時刻と同日で第１時刻より前の時刻における室内温度と室外温度との温度差に基づいて、強制換気装置２１による強制換気の開始時刻を設定する。そして、制御部１１は、開始時刻に強制換気装置２１による強制換気を開始させ、終了時刻に強制換気装置２１による強制換気を終了させる。【選択図】図１
2016061525.tif 000002
【特許請求の範囲】
【請求項１】
室内と室外との間の強制換気を行うことができる強制換気装置の動作を制御する制御部と、
前記室内に人が存在しない不在状態から前記室内に人が存在する在状態に変化すると推定される第１時刻の情報を取得する第１時刻情報取得部と、
現在時刻を計時する時計部とを備え、
前記制御部は、前記強制換気装置による強制換気の終了時刻を前記第１時刻に設定し、前記第１時刻と同日で前記第１時刻より前の時刻における室内温度と室外温度との温度差に基づいて、前記強制換気装置による強制換気の開始時刻を設定し、前記開始時刻に前記強制換気装置による強制換気を開始させ、前記終了時刻に前記強制換気装置による強制換気を終了させる
ことを特徴とする通風制御装置。
【請求項２】
前記第１時刻と同日で前記第１時刻より前の時刻であって、室外温度が最も高くなる時刻である第２時刻の情報を取得する第２時刻情報取得部を備え、
前記制御部は、前記第２時刻における前記温度差に基づいて、前記開始時刻を設定する
ことを特徴とする請求項１記載の通風制御装置。
【請求項３】
前記第２時刻における前記温度差と前記強制換気装置による強制換気の継続時間との対応関係を示す参照データを格納した記憶部を備え、
前記制御部は、前記第２時刻情報取得部が取得した前記第２時刻における前記温度差を前記参照データに照合して前記継続時間を決定し、前記終了時刻より前記継続時間前を前記開始時刻とする
ことを特徴とする請求項２記載の通風制御装置。
【請求項４】
前記終了時刻における前記温度差に基づいて、前記参照データを更新する更新部を備えることを特徴とする請求項３記載の通風制御装置。
【請求項５】
前記制御部は、前記強制換気装置による換気量を制御でき、前記第１時刻と同日で前記第１時刻より前の時刻における前記温度差に基づいて、前記開始時刻、および前記強制換気装置による換気量の制御値を設定し、前記開始時刻に前記換気量を前記制御値に制御して前記強制換気装置による強制換気を開始することを特徴とする請求項１乃至４いずれか記載の通風制御装置。
【請求項６】
前記室内温度は、前記室内の気温および前記室内の湿度に基づく体感温度であり、前記室外温度は、前記室外の気温および前記室外の湿度に基づく体感温度であることを特徴とする請求項１乃至５いずれか記載の通風制御装置。
【請求項７】
請求項１乃至６いずれか記載の通風制御装置と、
室内と室外との間の強制換気を行うことができる強制換気装置と、
室内温度を測定する第１測定部と、
室外温度を測定する第２測定部と
を備えることを特徴とする通風制御システム。
【請求項８】
コンピュータを、請求項１乃至６いずれか記載の通風制御装置として機能させることを特徴とするプログラム。
【発明の詳細な説明】
【技術分野】
【０００１】
本発明は、通風制御装置、通風制御システム、プログラム、より詳細には室内と室外との間の換気を行う通風制御装置、通風制御システム、プログラムに関するものである。
【背景技術】
【０００２】
従来、室内と室外との間の換気を行う換気制御システムがある。
【０００３】
例えば特許文献１においては、外気温度と室内温度とを検出し、外気温度と室内温度との温度差に基づいて自然換気量を算出し、自然換気量との和の総換気量がほぼ一定に維持されるように機械換気量を制御している。
【先行技術文献】
【特許文献】
【０００４】
【特許文献１】特開２００５−９７９６号公報
【発明の概要】
【発明が解決しようとする課題】
【０００５】
室外温度が比較的高くなる夏季等では、昼間の室内に熱気がたまる熱こもりが発生する。この熱こもりが発生している室内に入ったユーザは、室内の熱気のために不快に感じる。そこで、室内と室外との間で換気を行うのであるが、この熱こもりを解消する換気に要するエネルギー消費量を抑えたいという要望がある。
【０００６】
本発明は、上記事由に鑑みてなされたものであり、その目的は、室内に入ったユーザの不快感を抑制し、且つ室内の熱こもりを解消する換気に要するエネルギー消費量を抑えることができる通風制御装置、通風制御システム、プログラムを提供することにある。
【課題を解決するための手段】
【０００７】
本発明の通風制御装置は、室内と室外との間の強制換気を行うことができる強制換気装置の動作を制御する制御部と、前記室内に人が存在しない不在状態から前記室内に人が存在する在状態に変化すると推定される第１時刻の情報を取得する第１時刻情報取得部と、現在時刻を計時する時計部とを備え、前記制御部は、前記強制換気装置による強制換気の終了時刻を前記第１時刻に設定し、前記第１時刻と同日で前記第１時刻より前の時刻における室内温度と室外温度との温度差に基づいて、前記強制換気装置による強制換気の開始時刻を設定し、前記開始時刻に前記強制換気装置による強制換気を開始させ、前記終了時刻に前記強制換気装置による強制換気を終了させることを特徴とする。
【０００８】
本発明の通風制御システムは、通風制御装置と、室内と室外との間の強制換気を行うことができる強制換気装置と、室内温度を測定する第１測定部と、室外温度を測定する第２測定部とを備えることを特徴とする。
【０００９】
本発明のプログラムは、コンピュータを通風制御装置として機能させることを特徴とする。
【発明の効果】
【００１０】
以上説明したように、本発明では、室内に入ったユーザの不快感を抑制し、且つ室内の熱こもりを解消する換気に要するエネルギー消費量を抑えることができるという効果がある。
【図面の簡単な説明】
【００１１】
【図１】実施形態の通風制御システムの構成を示すブロック図である。
【図２】実施形態の第２時刻の情報を格納したデータテーブルを示すテーブル図である。
【図３】実施形態の参照データを示すテーブル図である。
【図４】実施形態の制御動作を時系列に沿って表した説明図である。
【図５】実施形態の強制換気装置の制御を示すフローチャートである。
【図６】実施形態の更新部の動作を示すフローチャートである。
【図７】変形例の通風制御システムの構成を示すブロック図である。
【発明を実施するための形態】
【００１２】
以下、本発明の実施の形態を図面に基づいて説明する。
【００１３】
（実施形態）
図１は、通風制御システムの構成を示しており、本実施形態では戸建住宅等の住宅、集合住宅の住戸を制御対象として、以下に説明する。なお、通風制御システムの制御対象は、オフィス、工場、事務所等であってもよく、制御対象となる空間は限定されない。
【００１４】
通風制御システムは、通風制御装置１、強制換気装置２１、自然換気装置２２、室内気温センサ３（第１測定部）、室外気温センサ４（第２測定部）を備える。通風制御装置１は、強制換気装置２１、自然換気装置２２、室内気温センサ３、室外気温センサ４のそれぞれとの間で有線通信または無線通信を行う。
【００１５】
強制換気装置２１は、壁面、天井面等に設けられたファンを備える換気扇等であり、ファンを回転駆動させることで室内と室外との間で空気を入れ替える強制換気動作（機械換気動作）を行う。
【００１６】
自然換気装置２２は、壁面、天井面等に設けられた開閉可能な通気口、換気口、がらり等で構成される。自然換気装置２２は、室内と室外との間を連通させる通気路を開閉可能に構成されており、通気路を開くことによって自然換気動作を行い、通気路を閉じることによって自然換気動作を停止する。この自然換気動作は、屋内と屋外との間の気圧差、温度差等によって、外気を屋内に取り込むことができる。
【００１７】
室内気温センサ３は、サーミスタ、熱電対等で構成されており、室内の気温を測定して、この測定結果を通風制御装置１へ送信する。
【００１８】
室外気温センサ４は、サーミスタ、熱電対等で構成されており、室外の気温を測定して、この測定結果を通風制御装置１へ送信する。
【００１９】
通風制御装置１は、制御部１１と、第１時刻情報取得部１２と、第２時刻情報取得部１３と、現在時刻を計時する時計部１４と、記憶部１５と、更新部１６と、操作部１７とを備える。
【００２０】
制御部１１は、室内気温センサ３から送信された室内の気温データを室内温度のデータとして取得し、室外気温センサ４から送信された室外の気温データを室外温度のデータとして取得する。制御部１１は、室内温度のデータおよび室外温度のデータに基づいて、強制換気装置２１、自然換気装置２２の各動作を制御する。制御部１１は、強制換気装置２１の運転、停止を切り替えることで、強制換気のオン、オフを制御できる。制御部１１は、自然換気装置２２の通気路の開閉を切り替えることで、自然換気のオン、オフを制御できる。
【００２１】
第１時刻情報取得部１２は、室内に人が存在しない不在状態から室内に人が存在する在状態に変化すると推定される時刻である第１時刻Ｘ１の情報を取得する。具体的に、第１時刻情報取得部１２は、ユーザ（住人）が帰宅する今日の帰宅時刻の情報を、今日の第１時刻Ｘ１の情報として取得する。例えば、ユーザは通風制御装置１に設けた操作部１７を操作することによって帰宅時刻を入力し、第１時刻情報取得部１２は、この入力された帰宅時刻の情報を第１時刻Ｘ１の情報として取得する。あるいは、第１時刻情報取得部１２は、携帯電話、スマートフォン、タブレット、パーソナルコンピュータ、専用端末等の外部端末５との間で、無線ＬＡＮ（Local Area Network）、有線ＬＡＮ、小電力無線等を用いた通信を行う。そして、第１時刻情報取得部１２は、外部端末５に入力された帰宅時刻の情報を第１時刻Ｘ１の情報として取得してもよい。
【００２２】
第２時刻情報取得部１３は、今日のうちで室外温度が最も高くなる時刻である第２時刻Ｘ２の情報を取得する。具体的には、図２に示すように、地域毎の各月の第２時刻Ｘ２の情報を格納したデータテーブル１０１が記憶部１５に予め格納されている。データテーブル１０１は、過去の気象情報に基づいて予め作成されて記憶部１５に格納されている（例えば、地域毎の各月の第２時刻Ｘ２の平均値）。第２時刻情報取得部１３は、データテーブル１０１から、通風制御装置１が設置されている地域における今日の第２時刻Ｘ２の情報を取得する。また、記憶部１５には、地域毎の毎日の第２時刻Ｘ２の情報を格納されてもよい。
【００２３】
さらに、第２時刻情報取得部１３は、インターネット等の広域通信網２００に接続しており、気象情報のデータベースとして機能するサーバ２０１（例えば、気象庁のサーバ）に格納されている過去の外気温の履歴データを定期的にダウンロードする。第２時刻情報取得部１３は、ダウンロードした外気温の履歴データに基づいて、データテーブル１０１の第２時刻Ｘ２の情報を更新することができる。なお、第２時刻情報取得部１３は、第１時刻Ｘ１の該当日（本実施形態では今日）と同日であり、且つ第１時刻Ｘ１より前の第２時刻Ｘ２の情報のみを取得する。
【００２４】
時計部１４は、例えばリアルタイムクロックで構成されており、現在時刻を計時する。
【００２５】
記憶部１５は、フラッシュメモリ、ＥＥＰＲＯＭ（Electrically Erasable Programmable Read-Only Memory）などの書換え可能な不揮発性のメモリ、ＲＯＭ（Read Only Memory）などの不揮発性のメモリからなる。この記憶部１５には、上述のデータテーブル１０１や、図３に示す参照データ１０２等が格納されている。また、記憶部１５は、ＲＡＭ（Random Access Memory）などの揮発性のメモリを備えることもある。
【００２６】
更新部１６は、参照データ１０２を更新する学習機能を備える。
【００２７】
操作部１７は、タッチパネル、ボタン等を備えて、ユーザ操作によって各種入力が可能に構成される。
【００２８】
通風制御装置１は、ユーザによる操作部１７の操作によって、動作モードが設定される。動作モードには、在宅モードと外出モードとがある。在宅モードは、室内に人が存在する在宅時に設定される動作モードである。外出モードは、ユーザが外出して室内に人が存在しない外出時に設定される動作モードである。また、通風制御装置１は、外部端末５から、動作モードの設定情報を受け取って、動作モードの設定を行ってもよい。
【００２９】
在宅モードの通風制御装置１では、ユーザによる操作部１７の操作に応じて、制御部１１が強制換気装置２１および自然換気装置２２の各動作を制御する。なお、在宅モードにおける強制換気装置２１および自然換気装置２２の制御は、周知技術によって種々の方法が提案されており、詳細な説明は省略する。また、在宅モードの通風制御装置１は、外部端末５から制御情報を受け取って、制御部１１による強制換気装置２１および自然換気装置２２の制御を行ってもよい。
【００３０】
次に、外出モードの通風制御装置１による強制換気装置２１および自然換気装置２２の制御動作について、図４、図５を用いて説明する。図４は、通風制御装置１による強制換気装置２１および自然換気装置２２の制御動作を時系列に沿って表したものである。図５は、通風制御装置１による強制換気装置２１の制御動作を示すフローチャートである。
【００３１】
図４では、時刻Ｘ０において、通風制御装置１に外出モードが設定されている。外出モードの通風制御装置１において、制御部１１は、室内温度が室外温度より所定温度以上高い場合に、自然換気装置２２を開制御して自然換気を行う。本実施形態において、制御部１１は、室内温度が室外温度以上であれば、自然換気装置２２を開制御して自然換気を行う（図４参照）。
【００３２】
また、外出モードの通風制御装置１において、制御部１１は、強制換気装置２１の運転時には自然換気装置２２を必ず開制御して、換気効率を向上させることが好ましい。
【００３３】
さらに、外出モードの通風制御装置１において、制御部１１は、図５のフローチャートにしたがって、強制換気装置２１を制御する。
【００３４】
まず、ユーザは、外出モードの設定後に操作部１７を操作することによって帰宅時刻を入力する。第１時刻情報取得部１２は、帰宅時刻の情報を第１時刻Ｘ１の情報として取得する（Ｓ１）。また、第１時刻情報取得部１２は、外部端末５から帰宅時刻の情報を取得してもよい。
【００３５】
第２時刻情報取得部１３は、データテーブル１０１から、通風制御装置１が設置されている地域における今日の第２時刻Ｘ２（今日のうちで室外温度が最も高くなる時刻）の情報を取得する（Ｓ２）。
【００３６】
そして、制御部１１は、時計部１４が計時する現在時刻がステップＳ２で取得された第２時刻Ｘ２に一致するか否かを監視する（Ｓ３）。制御部１１は、現在時刻が第２時刻Ｘ２に一致した場合、強制換気の開始時刻Ｘｓを求める（Ｓ４）。
【００３７】
具体的に、制御部１１は、第２時刻Ｘ２における室内温度と室外温度との温度差ΔＴ２（＝室内温度−室外温度）を参照データ１０２に照合して、強制換気の開始時刻Ｘｓを決定する。参照データ１０２は、図３に示すように、第２時刻Ｘ２における温度差ΔＴ２と、強制換気装置２１による強制換気の継続時間Ｂｎ（ｎ＝１，２，３，４）と、強制換気の開始時刻Ｘｓの算出式とが対応付けられている。制御部１１は、第２時刻Ｘ２における温度差ΔＴ２に対応する強制換気の継続時間Ｂｎを選択する。そして、制御部１１は、第１時刻Ｘ１より継続時間Ｂｎ前の時刻を、強制換気の開始時刻Ｘｓ（＝Ｘ１−Ｂｎ）とする。すなわち、制御部１１は、第１時刻Ｘ１を強制換気の終了時刻Ｘｅに設定し、この終了時刻Ｘｅより継続時間Ｂｎ前の時刻を、強制換気の開始時刻Ｘｓとしている。
【００３８】
例えば、図３においては、Ａ１＝０．５℃、Ａ２＝１．０℃、Ａ３＝１．５℃に設定され、Ｂ１＝０分、Ｂ２＝３０分、Ｂ３＝６０分、Ｂ４＝９０分に設定される。なお、この設定値は一例であり、Ａ１〜Ａ３、Ｂ１〜Ｂ４の各設定値は適宜に設定されればよい。また、図３では、温度差ΔＴ２の範囲を４つに分割しているが、この分割数も適宜の数に設定可能である。
【００３９】
そして、制御部１１は、時計部１４が計時する現在時刻がステップＳ４で決定された強制換気の開始時刻Ｘｓに一致するか否かを監視する（Ｓ５）。制御部１１は、現在時刻が開始時刻Ｘｓに一致した場合、強制換気装置２１をオンして、強制換気を開始する（Ｓ６）。
【００４０】
そして、制御部１１は、時計部１４が計時する現在時刻が終了時刻Ｘｅに一致するか否かを監視する（Ｓ７）。制御部１１は、現在時刻が終了時刻Ｘｅに一致した場合、強制換気装置２１をオフして、強制換気を停止する（Ｓ８）。
【００４１】
また、上述の制御部１１は、第２時刻Ｘ２の温度差ΔＴ２に基づいて、強制換気の開始時刻Ｘｓを設定している。しかしながら、制御部１１は、室内温度と室外温度との温度差ΔＴを常に監視して、この温度差ΔＴ、および強制換気の終了時刻Ｘｅに基づいて、開始時刻Ｘｓを設定してもよい。例えば、制御部１１は、室外温度が最も高くなる時刻である第２時刻Ｘ２以降の温度差ΔＴを監視し、終了時刻Ｘｅまでの残時間と温度差ΔＴとに基づいて、終了時刻Ｘｅにおける室内の熱こもりを抑えることができる開始時刻Ｘｓを決定する。
【００４２】
上述のように、通風制御装置１は、制御部１１と、第１時刻情報取得部１２と、時計部１４とを備える。制御部１１は、室内と室外との間の強制換気を行うことができる強制換気装置２１の動作を制御する。第１時刻情報取得部１２は、室内に人が存在しない不在状態から室内に人が存在する在状態に変化すると推定される第１時刻Ｘ１の情報を取得する。時計部１４は、現在時刻を計時する。制御部１１は、強制換気装置２１による強制換気の終了時刻Ｘｅを第１時刻Ｘ１に設定する。さらに、制御部１１は、第１時刻Ｘ１と同日で第１時刻Ｘ１より前の時刻における室内温度と室外温度との温度差ΔＴに基づいて、強制換気装置２１による強制換気の開始時刻Ｘｓを設定する。そして、制御部１１は、開始時刻Ｘｓに強制換気装置２１による強制換気を開始させ、終了時刻Ｘｅに強制換気装置２１による強制換気を終了させる。
【００４３】
また、上述の通風制御システムは、通風制御装置１と、室内と室外との間の強制換気を行うことができる強制換気装置２１と、室内温度を測定する室内気温センサ３（第１測定部）と、室外温度を測定する室外気温センサ４（第２測定部）とを備える。
【００４４】
上述の通風制御装置１は、不在状態から在状態に変化すると推定される第１時刻Ｘ１を終了時刻Ｘｅとして、この終了時刻Ｘｅの前に強制換気装置２１による強制換気を行う。強制換気の開始時刻Ｘｓは、第１時刻Ｘ１より前の時刻における室内温度と室外温度との温度差ΔＴ２に基づいて設定されるので、強制換気によって終了時刻Ｘｅにおける室内の熱こもりを抑えることができる。また、通風制御装置１は、不在状態の間、強制換気を常に行っておらず、ユーザの帰宅時間の前にのみ強制換気を行うので、強制換気装置２１の駆動時間を低減させて省エネルギー化を図ることができる。すなわち、通風制御装置１は、室内に人が存在しない不在時に強制換気装置２１をできるだけ使わずに、ユーザの帰宅時間までに最小限の強制換気時間で室内の熱こもりを抑えることができる。
【００４５】
したがって、通風制御装置１、および通風制御装置１を備える通風制御システムは、室内に入ったユーザの不快感を抑制し、且つ室内の熱こもりを解消する換気に要するエネルギー消費量を抑えることができる。
【００４６】
また、通風制御装置１は、第１時刻Ｘ１と同日で第１時刻Ｘ１より前の時刻であって、室外温度が最も高くなる時刻である第２時刻Ｘ２の情報を取得する第２時刻情報取得部１３を備えることが好ましい。制御部１１は、第２時刻Ｘ２における室内温度と室外温度との温度差ΔＴ２に基づいて、開始時刻Ｘｓを設定する。
【００４７】
この場合、強制換気の開始時刻Ｘｓは、室外温度が最も高くなる時刻である第２時刻Ｘ２における室内温度と室外温度との温度差ΔＴ２に基づいて設定されるので、室内の熱こもりをより確実に抑えることができる開始時刻Ｘｓを設定することができる。
【００４８】
また、通風制御装置１は、第２時刻Ｘ２における温度差ΔＴ２と強制換気装置２１による強制換気の継続時間Ｂｎとの対応関係を示す参照データ１０２を格納した記憶部１５を備えることが好ましい。そして、制御部１１は、第２時刻情報取得部１３が取得した第２時刻Ｘ２における温度差ΔＴ２を参照データ１０２に照合して継続時間Ｂｎを決定し、終了時刻Ｘｅより継続時間Ｂｎ前を開始時刻Ｘｓとする。
【００４９】
この場合、通風制御装置１は、参照データ１０２を用いることで、終了時刻Ｘｅ時点での室内の熱こもりを抑えることができる強制換気の継続時間Ｂｎを容易に決定できる。
【００５０】
また、通風制御装置１は、終了時刻Ｘｅにおける温度差ΔＴｅに基づいて、参照データ１０２を更新する更新部１６を備えることが好ましい。
【００５１】
更新部１６の動作を図６のフローチャートに示す。
【００５２】
更新部１６は、制御部１１が図５のフローチャートにしたがって強制換気装置２１を制御した場合、終了時刻Ｘｅにおける室内温度と室外温度との温度差ΔＴｅが、予め決められた許容誤差Ｃ以上であるか否かを判定する（Ｓ１１）。更新部１６は、終了時刻Ｘｅにおける温度差ΔＴｅが許容誤差Ｃ以上であれば、現状の強制換気の継続時間Ｂｎに予め決められた定数Ｋを加算した新たな強制換気の継続時間Ｂｎを参照データ１０２に書き込む（Ｓ１２）。更新部１６は、終了時刻Ｘｅにおける温度差ΔＴｅが許容誤差Ｃ未満であれば、現状の強制換気の継続時間Ｂｎを維持して、参照データ１０２を更新しない（Ｓ１３）。なお、この更新処理は、全ての継続時間Ｂｎに対して行われる方法と、制御部１１がステップＳ４で実際に用いた継続時間Ｂｎのみに対して行われる方法とがあり、更新部１６は、いずれの方法を採用してもよい。
【００５３】
すなわち、更新部１６は、終了時刻Ｘｅにおける温度差ΔＴｅが許容誤差Ｃ以上となって、強制換気の継続時間Ｂｎが短いと判断される場合、継続時間Ｂｎを現状より長くする。したがって、更新部１６は、実際の通風制御装置１が設置される住宅の広さ、構造、間取り等に適した継続時間Ｂｎに更新でき、通風制御装置１は、室内の熱こもりをより確実に抑えることができる。
【００５４】
なお、通風制御装置１の出荷時または設置時における参照データ１０２では、継続時間Ｂｎに初期値が設定されている。この初期値は、住宅における平均的な値に設定されたり、あるいは通風制御装置１が設置される住宅の広さ、構造、間取り等に基づくシミュレーション結果に基づいて設定されている。
【００５５】
また、制御部１１は、強制換気装置２１による換気量を制御できることが好ましい。この場合、制御部１１は、第１時刻Ｘ１と同日で第１時刻Ｘ１より前の時刻における温度差ΔＴに基づいて、開始時刻Ｘｓ、および強制換気装置２１による換気量の制御値を設定する。そして、制御部１１は、開始時刻Ｘｓに換気量を制御値に制御して強制換気装置２１による強制換気を開始する。
【００５６】
具体的に、制御部１１は、強制換気装置２１のファンの回転速度を調整することで、強制換気装置２１の換気量を制御できる。そして、制御部１１は、第２時刻Ｘ２における温度差ΔＴ２に基づいて、強制換気装置２１による強制換気の開始時刻Ｘｓ、および強制換気装置２１による換気量の制御値を設定する。すなわち、制御部１１は、強制換気の継続時間Ｂｎと強制換気装置２１の換気量との組み合わせを変更することで、強制換気の継続時間Ｂｎの選択幅を広くすることができる。
【００５７】
例えば制御部１１は、第２時刻Ｘ２と終了時刻Ｘｅとの時間差が小さい場合、強制換気装置２１の換気量（制御値）を大きくして、室内の熱気を短時間で室外へ排気する。また、制御部１１は、第２時刻Ｘ２と終了時刻Ｘｅとの時間差が大きい場合、強制換気装置２１の消費電力が低くなるように換気量（制御値）を設定して、省エネルギー化を図る。
【００５８】
また、図７は、本実施形態の変形例の構成を示しており、通風制御システムは、室内湿度センサ６、室外湿度センサ７をさらに備えており、通風制御装置１は、温度演算部１８をさらに備える。
【００５９】
室内湿度センサ６は、室内の相対湿度を測定して、この測定結果を室内湿度のデータとして通風制御装置１へ送信する。室外湿度センサ７は、室外の相対湿度を測定して、この測定結果を室外湿度のデータとして通風制御装置１へ送信する。室内湿度センサ６、室外湿度センサ７は、その測定方式に限定されないが、例えば、高分子抵抗式、高分子容量式、酸化アルミ容量式等の方式が用いられる。
【００６０】
通風制御装置１が備える温度演算部１８は、室内気温センサ３によって測定された室内の気温、室内湿度センサ６によって測定された室内の相対湿度に基づいて、室内における体感温度を導出する。さらに、温度演算部１８は、室外気温センサ４によって測定された室外の気温、室外湿度センサ７によって測定された室外の相対湿度に基づいて、室外における体感温度を導出する。
【００６１】
体感温度の算出式としては、例えば［数１］に示すミスナールの式が用いられる。なお、Ｍは体感温度、Ｔは気温、Ｈは相対湿度をそれぞれ示す。なお、体感温度の算出式としては、他の方法が用いられてもよく、体感温度の算出方法は限定されない。
【００６２】
【数１】
2016061525.tif 000003
【００６３】
そして、制御部１１は、温度演算部１８が導出した室内における体感温度のデータを室内温度のデータとして取得し、温度演算部１８が導出した室外における体感温度のデータを室外温度のデータとして取得する。制御部１１は、この室内温度のデータ（室内における体感温度）、室外温度のデータ（室外における体感温度）を用いて、上記同様に強制換気装置２１、自然換気装置２２の動作を制御する。
【００６４】
本変形例では、室内気温センサ３と室内湿度センサ６と温度演算部１８とで、室内温度を測定する第１測定部を構成する。また、室外気温センサ４と室外湿度センサ７と温度演算部１８とで、室外温度を測定する第２測定部を構成する。
【００６５】
上述のように、室内温度は、室内の気温および室内の湿度に基づく体感温度であり、室外温度は、室外の気温および室外の湿度に基づく体感温度であることが好ましい。
【００６６】
この場合、通風制御装置１は、第２時刻Ｘ２における温度差ΔＴ２、および終了時刻Ｘｅにおける温度差ΔＴｅを、体感温度の差とすることができる。したがって、通風制御装置１は、実際の人が感じる温熱環境に基づいて、強制換気の継続時間Ｂｎ、開始時刻Ｘｓを決定できるので、終了時刻Ｘｅにおける室内の温熱環境をより快適にすることができる。
【００６７】
また、通風制御装置１は、マイクロコンピュータ等で構成されたコンピュータを搭載しており、このコンピュータがプログラムを実行することによって、通風制御装置１の各機能が実現されている。なお、通風制御装置１が搭載するコンピュータとしては、プログラムに従って動作するプロセッサおよびインターフェースを主なハードウェア構成として備える。この種のプロセッサとしては、ＣＰＵ（Central Processing Unit）、ＭＰＵ（Micro-Processing Unit）等を含み、プログラムを実行することによって上述の通風制御装置１の機能を実現することができれば、その種類は問わない。
【００６８】
また、プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００６９】
すなわち、プログラムは、コンピュータを、通風制御装置１として機能させることを特徴とする。したがって、このコンピュータを通風制御装置１として機能させるプログラムも、室内に入ったユーザの不快感を抑制し、且つ室内の熱こもりを解消する換気に要するエネルギー消費量を抑えることができる。
【００７０】
また、通風制御装置１は、例えばＨＥＭＳ（Home Energy Management System）コントローラで構成されることが好ましい。この場合、通風制御装置１は、監視対象の電力データ（消費電力、発電電力、蓄電電力等）を取得し、これらの電力データを用いてＨＥＭＳを構築する。ＨＥＭＳにおいて、通風制御装置１は、電力データを適宜の提示装置に提示することによって、電力消費量を見える化する機能を有する。またＨＥＭＳにおいて、通風制御装置１は、電力データに基づいて、省電力化を目的とした機器の制御を行う機能を有する。
【００７１】
あるいは、通風制御装置１は、通風制御を行う専用コントローラ、汎用のパーソナルコンピュータで構成されてもよい。
【００７２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７３】
１  通風制御装置
１１  制御部
１２  第１時刻情報取得部
１３  第２時刻情報取得部
１４  時計部
１５  記憶部
１６  更新部
１７  操作部
２１  強制換気装置
２２  自然換気装置
３  室内気温センサ
４  室外気温センサ
５  外部端末
【図１】
2016061525.tif 000004
【図２】
2016061525.tif 000005
【図３】
2016061525.tif 000006
【図４】
2016061525.tif 000007
【図５】
2016061525.tif 000008
【図６】
2016061525.tif 000009
【図７】
2016061525.tif 000010